(57)【要約】【課題】撮影画像としてＲＡＷ画像を記録する場合において撮影画像の詳細表示を迅速かつ適切に行える画像表示技術を提供する。【解決手段】撮影装置では、撮影画像としてのＲＡＷ画像をメモリカードに記録する際、ＲＡＷ画像に画素補間を含む画像処理が施された画像Ｇｏに対して左右の端部(幅Ｘｃ)および上下の端部(幅Ｙｃ)がトリミングされた部分画像Ｇａを生成し、この部分画像ＧａをＪＰＥＧ形式で圧縮処理した圧縮画像データも記録する。そして、撮影画像のピント確認が必要となる場合には、記録された圧縮画像データを伸長処理した画像に基づき表示部に詳細表示を行う。その結果、撮影画像としてＲＡＷ画像を記録する場合において撮影画像の詳細表示を迅速かつ適切に行えることとなる。【選択図】図３
2006173854.tif 000002
【特許請求の範囲】
【請求項１】
画像表示が可能な表示手段を有する画像表示装置であって、
(a)撮影画像としてのＲＡＷ画像と、前記撮影画像の一部に相当する部分画像を圧縮処理した圧縮画像データとを取得する取得手段と、
(b)前記撮影画像の部位を指定する指定手段と、
(c)前記圧縮画像データを伸長処理した前記部分画像に基づき、前記指定手段で指定された撮影画像の部位を前記表示手段に表示させる表示制御手段と、
を備え、
前記部分画像は、前記ＲＡＷ画像に画素補間を含む画像処理が施された画像の一部であることを特徴とする画像表示装置。
【請求項２】
請求項１に記載の画像表示装置において、
前記部分画像は、前記撮影画像の中央部を中心とした画像部分であることを特徴とする画像表示装置。
【請求項３】
請求項１に記載の画像表示装置において、
前記部分画像は、前記撮影画像の撮影時において合焦動作に用いられた合焦エリアを中心とした画像部分であることを特徴とする画像表示装置。
【請求項４】
請求項１ないし請求項３のいずれかに記載の画像表示装置において、
前記表示制御手段は、
(c-1)前記指定手段で指定された撮影画像の部位が前記部分画像以外の画像部分を含む場合には、前記撮影画像の部位を前記ＲＡＷ画像に基づき表示させる手段、
を有することを特徴とする画像表示装置。
【請求項５】
請求項１ないし請求項４のいずれかに記載の画像表示装置において、
前記表示制御手段は、
(c-2)前記指定手段で指定された撮影画像の部位を前記表示手段に等倍で表示させる手段、
を有することを特徴とする画像表示装置。
【請求項６】
画像表示装置に内蔵されたコンピュータにおいて実行されることにより、当該画像表示装置を請求項１ないし請求項５のいずれかに記載の画像表示装置として機能させることを特徴とする画像表示プログラム。
【請求項７】
所定の記録手段に画像の記録が可能な撮像装置であって、
(a)被写体を撮像して撮影画像を生成する撮像手段と、
(b)前記撮影画像の一部に相当する部分画像を圧縮処理した圧縮画像データを生成する圧縮処理手段と、
(c)前記撮影画像としてのＲＡＷ画像とともに、前記圧縮画像データを前記所定の記録手段に記録させる記録制御手段と、
を備え、
前記部分画像は、前記ＲＡＷ画像に画素補間を含む画像処理が施された画像の一部であることを特徴とする撮像装置。
【請求項８】
請求項７に記載の撮像装置において、
前記部分画像は、前記撮影画像の中央部を中心とした画像部分であることを特徴とする撮像装置。
【請求項９】
請求項７に記載の撮像装置において、
前記部分画像は、前記撮影画像の撮影時において合焦動作に用いられた合焦エリアを中心とした画像部分であることを特徴とする撮像装置。
【発明の詳細な説明】
【技術分野】
【０００１】
本発明は、撮影画像の表示を行う画像表示技術に関する。
【背景技術】
【０００２】
デジタルカメラ(撮像装置)においては、ＣＣＤから出力されたままの画素データで構成されるＣＣＤ−ＲＡＷ画像(以下では、「ＲＡＷ画像」ともいう)を撮影画像として記録するものがある。このＲＡＷ画像は、そのままではパーソナルコンピュータ等の表示部に表示できず、その表示には画素の補間処理などの画像処理が必要となるため、迅速な表示が困難である。
【０００３】
この迅速な表示を可能とする技術としては、例えば非特許文献１に開示されるものがある。この技術は、撮影画像としてのＲＡＷ画像とともに撮影画像の解像度(画像サイズ)を低減したＲＧＢ画像を記録するもので、撮影画像の表示の際にはＲＧＢ画像の使用により迅速な表示が可能となる。
【０００４】
【非特許文献１】コダック株式会社、”DCS Pro SLR/n Digital Camera 製品特長”、［online］、［平成１６年１２月１０日検索］、インターネット＜ＵＲＬ：http://wwwjp.kodak.com/JP/ja/professional/products/cameras/dcsproslr/feature/dcr.shtml＞
【発明の開示】
【発明が解決しようとする課題】
【０００５】
しかしながら、上記の非特許文献１の技術では、撮影画像の詳細表示を行いたい場合には低解像度のＲＧＢ画像を拡大して表示する必要があるため、撮影画像の詳細なチェックが行えない恐れがある。
【０００６】
デジタルカメラでは、比較的大量の撮影画像が記録されることが多いが、通常その中からピントなどに関してベストな画像を選ぶ作業がユーザにより行われる。このような作業の際には撮影画像の細部(例えばポートレートにおける人物の目など)をチェックすることとなるが、上記の技術のように低解像度のＲＧＢ画像に拡大処理を施すと、画像が不鮮明となり、詳細なチェックが困難となる。なお、ＲＡＷ画像に基づく詳細表示は行えるものの、上述のように迅速な表示が困難となる。
【０００７】
本発明は、上記課題に鑑みてなされたものであり、撮影画像としてＲＡＷ画像が記録される場合において撮影画像の詳細表示を迅速かつ適切に行える画像表示技術を提供することを目的とする。
【課題を解決するための手段】
【０００８】
上記の課題を解決するため、請求項１の発明は、画像表示が可能な表示手段を有する画像表示装置であって、(a)撮影画像としてのＲＡＷ画像と、前記撮影画像の一部に相当する部分画像を圧縮処理した圧縮画像データとを取得する取得手段と、(b)前記撮影画像の部位を指定する指定手段と、(c)前記圧縮画像データを伸長処理した前記部分画像に基づき、前記指定手段で指定された撮影画像の部位を前記表示手段に表示させる表示制御手段とを備え、前記部分画像は、前記ＲＡＷ画像に画素補間を含む画像処理が施された画像の一部である。
【０００９】
また、請求項２の発明は、請求項１の発明に係る画像表示装置において、前記部分画像は、前記撮影画像の中央部を中心とした画像部分である。
【００１０】
また、請求項３の発明は、請求項１の発明に係る画像表示装置において、前記部分画像は、前記撮影画像の撮影時において合焦動作に用いられた合焦エリアを中心とした画像部分である。
【００１１】
また、請求項４の発明は、請求項１ないし請求項３のいずれかの発明に係る画像表示装置において、前記表示制御手段は、(c-1)前記指定手段で指定された撮影画像の部位が前記部分画像以外の画像部分を含む場合には、前記撮影画像の部位を前記ＲＡＷ画像に基づき表示させる手段を有する。
【００１２】
また、請求項５の発明は、請求項１ないし請求項４のいずれかの発明に係る画像表示装置において、前記表示制御手段は、(c-2)前記指定手段で指定された撮影画像の部位を前記表示手段に等倍で表示させる手段を有する。
【００１３】
また、請求項６の発明は、画像表示装置に内蔵されたコンピュータにおいて実行されることにより、当該画像表示装置を請求項１ないし請求項５のいずれかの発明に係る画像表示装置として機能させることを特徴とする画像表示プログラムである。
【００１４】
また、請求項７の発明は、所定の記録手段に画像の記録が可能な撮像装置であって、(a)被写体を撮像して撮影画像を生成する撮像手段と、(b)前記撮影画像の一部に相当する部分画像を圧縮処理した圧縮画像データを生成する圧縮処理手段と、(c)前記撮影画像としてのＲＡＷ画像とともに、前記圧縮画像データを前記所定の記録手段に記録させる記録制御手段とを備え、前記部分画像は、前記ＲＡＷ画像に画素補間を含む画像処理が施された画像の一部である。
【００１５】
また、請求項８の発明は、請求項７の発明に係る撮像装置において、前記部分画像は、前記撮影画像の中央部を中心とした画像部分である。
【００１６】
また、請求項９の発明は、請求項７の発明に係る撮像装置において、前記部分画像は、前記撮影画像の撮影時において合焦動作に用いられた合焦エリアを中心とした画像部分である。
【発明の効果】
【００１７】
請求項１ないし請求項６の発明によれば、撮影画像としてのＲＡＷ画像に画素補間を含む画像処理が施された画像の一部に相当する部分画像を圧縮処理した圧縮画像データを取得し、指定された撮影画像の部位を圧縮画像データを伸長処理した部分画像に基づき表示させる。その結果、撮影画像としてＲＡＷ画像を記録する場合において撮影画像の詳細表示を迅速かつ適切に行える。
【００１８】
特に、請求項２の発明においては、部分画像が撮影画像の中央部を中心とした画像部分であるため、比較的重要な画像部位を迅速に表示できる。
【００１９】
また、請求項３の発明においては、部分画像が撮影画像の撮影時において合焦動作に用いられた合焦エリアを中心とした画像部分であるため、ピント確認に必要な画像部位を迅速に表示できる。
【００２０】
また、請求項４の発明においては、指定された撮影画像の部位が部分画像以外の画像部分を含む場合には、撮影画像の部位をＲＡＷ画像に基づき表示させるため、撮影画像の全範囲について詳細表示を行える。
【００２１】
また、請求項５の発明においては、指定された撮影画像の部位を等倍で表示させるため、撮影画像の詳細表示を簡易に行える。
【００２２】
また、請求項７ないし請求項９の発明によれば、撮影画像としてのＲＡＷ画像とともに、ＲＡＷ画像に画素補間を含む画像処理が施された画像の一部に相当する部分画像を圧縮処理した圧縮画像データを所定の記録手段に記録させる。その結果、撮影画像としてＲＡＷ画像を記録する場合でも撮影画像の詳細表示を迅速かつ適切に行えるようになる。
【００２３】
また、請求項８の発明においては、部分画像が撮影画像の中央部を中心とした画像部分であるため、比較的重要な画像部分を含む圧縮画像データを適切に生成できる。
【００２４】
また、請求項９の発明においては、部分画像が撮影画像の撮影時において合焦動作に用いられた合焦エリアを中心とした画像部分であるため、ピント確認に必要な画像部分を含む圧縮画像データを適切に生成できる。
【発明を実施するための最良の形態】
【００２５】
＜実施形態＞
本発明の実施形態に係る画像再生システム１については、撮像装置２と画像表示装置３とを備えている。
【００２６】
以下では、撮像装置２と画像表示装置３とを順に説明する。
【００２７】
＜撮像装置２の要部構成＞
図１は、撮像装置２の要部構成を示す機能ブロック図である。
【００２８】
撮像装置２は、例えばデジタルカメラで構成されており、撮像レンズ２１と撮像部２２とＡ／Ｄ変換部２３と信号処理部２４とを備えている。また、撮像装置２は、信号処理部２４から出力された画像をトリミングするトリミング処理部２５と、ＪＰＥＧエンコーダ部２６と、ファイル作成部２７と、データを一時的に記憶する一時記憶メモリ２８と、撮像装置２に着脱自在で撮影画像を保存するためのメモリカード２９とを備えている。
【００２９】
撮像レンズ２１を通過した被写体の光像は、撮像部２２に入力される。撮像部２２おいては、光電変換が行われ、図２に示す画像信号の色分割を行うカラーフィルターによってＲＧＢのそれぞれの信号に分けられたアナログ信号が撮影画像として生成される。図２のカラーフィルターについては、各画素にＲＧＢいずれかの光を通すもので、ＲＧＢ各色のフィルタの配列はＧが縦横共に１画素おきに配置されるとともに、ＲおよびＢが１列ごとに配置される配列（ベイヤー配列）となっている。
【００３０】
撮像部２２で生成された電気信号は、Ａ／Ｄ変換部２３に入力され、アナログ／デジタル変換が行われる。このようにＡ／Ｄ変換された後の画像データは、ＲＧＢの画素データが図２に示すベイヤー配列で並んだデジタルデータとして構成されている。この画像データをＣＣＤ−ＲＡＷデータ(以下では、単に「ＲＡＷデータ」ともいう)と呼ぶこととする。
【００３１】
Ａ／Ｄ変換部２３で生成されたＲＡＷデータは、信号処理部２４に出力される。この信号処理部２４では、ＲＡＷデータにおいて特定色のデータがない画素に対してデータを持つ周辺の画素から補間する処理が行われ、各画素がＲＧＢ全色のデータを持つ画像データが生成される。そして、画素補間の画像処理により作成されたＲＧＢ画像に対して、ホワイトバランス調整やガンマ補正等の画像処理が行われる。
【００３２】
信号処理部２４で生成されたＲＧＢ画像データは、トリミング処理部２５に入力され、撮影画像のトリミングが行われる。具体的には、図３に示すように信号処理部２４で作成された撮影画像Ｇｏに対して、画像の上端部および下端部がそれぞれＹｃ画素分だけ切り取られる処理が行われるとともに、画像の左端部および右端部がそれぞれＸｃ画素分だけ切り取られる処理が行われて、撮影画像の中央部を中心とした画像部分が抽出される。これにより、横方向の画素数Ｘａと縦方向の画素数Ｙａとを有して撮影画像の一部に相当する部分画像Ｇａ(図３)が生成されることとなる。
【００３３】
上記のトリミング処理においては、除去するＹｃ，ＸｃをＹａ，Ｘａの２０％程度に設定するのが望ましい。これにより、撮影画像Ｇｏに対してトリミング処理後の部分画像Ｇａが線比で７０％程度に収まるとともに、総画素数で５０％程度のサイズとなり、表示と記録サイズとのバランスが取れることとなる。
【００３４】
以上のようなトリミング処理が施された部分画像Ｇａは、ＪＰＥＧエンコーダ部２６に転送される。ＪＰＥＧエンコーダ部２６では、部分画像Ｇａに対してＪＰＥＧ方式の画像圧縮処理が行われ、表示用のＪＰＥＧ画像データ(以下では単に「ＪＰＥＧデータ」ともいう)が作成される。
【００３５】
Ａ／Ｄ変換部２３で生成されたＲＡＷデータと、ＪＰＥＧエンコーダ部２６で生成されたＪＰＥＧデータ(圧縮画像データ)とは、ファイル作成部２７に送られ、これらのデータが合成された１つの画像ファイルが作成される。この画像ファイルは、図４に示すように撮影時のパラメータやカメラ固有のパラメータ等が記入されたヘッダー部Ｆａと、表示用のＪＰＥＧデータＦｂと、ＲＡＷデータＦｃとで構成されている。このヘッダー部Ｆａには、図３に示す撮影画像(フルサイズ画像)Ｇａの解像度が低減された小画像(サムネイル画像)が記録されている。
【００３６】
ファイル作成部２７で作成された画像ファイルは、一時記憶メモリ２８に書き出され、その後メモリカード２９に転送される。これにより、撮影画像としてのＲＡＷ画像のデータとともにＪＰＥＧデータがメモリカード２９(所定の記録手段)に記録されることとなる。
【００３７】
＜画像表示装置３の要部構成＞
図５は、画像表示装置３の要部構成を示す図である。
【００３８】
画像表示装置３は、パーソナルコンピュータ(以下では「ＰＣ」という)４と、ＰＣ４とＵＳＢケーブルＣＢを介して接続しメモリカード２９(図１)からデータを読み取るカードリーダ５とを備えている。
【００３９】
ＰＣ４は、本体部４０と、例えば液晶ディスプレイで構成され画像表示が可能な表示部４１と、マウス４２１およびキーボード４２２を有する入力部４２とを備えている。
【００４０】
本体部４０には、コンピュータとして働くＣＰＵおよびメモリが内蔵されており、画像表示用のアプリケーションソフトウェア（以下では「画像表示ソフトウェア」という）がハードディスクにインストールされている。この画像表示ソフトウェア(画像表示プログラム)は、本体部４０内のハードディスク(固定記憶装置)やリムーバブルメディア等に保存される画像を閲覧し、露出や構図、ピントなどの確認後に画像の絞込みをサポートするためのソフトウェアである。この画像表示ソフトウェアが画像表示装置３に内蔵されたコンピュータで実行されることにより、撮像装置２で撮影されメモリカード２９に記録された画像ファイルを、カードリーダ５から読出して表示部４１に表示させることが可能となる。
【００４１】
画像表示ソフトウェアが起動されると、図６に示すＧＵＩ(Graphical User Interface)を有するウィンドウ画面(以下では「メインウィンドウ」という)Ｍｏが表示部４１に表示される。このメインウィンドウＭｏは、以下の４つのエリアに大別されている。
【００４２】
(１)フォルダツリー構成を表示するエリア(フォルダツリーエリア)Ｍａ
(２)フォルダツリーエリアＭａで選択されたフォルダ内に記憶されるサムネイル画像の一覧を表示するエリア(サムネイル画像表示エリア)Ｍｂ
(３)マウス４２１等によって選択された画像のヒストグラムを表示するエリア(ヒストグラム表示エリア)Ｍｃ
(４)マウス４２１等によって選択された画像の中サイズの画像（プレビュー画像）を表示するエリア(プレビュー画像表示エリア)Ｍｄ
以上のメインウィンドウＭｏを有する画像表示ソフトウェアの機能について、詳しく説明する。
【００４３】
撮像装置２で撮影した画像が記録されるメモリカード２９をカードリーダ５にセットし、ＰＣ４の本体部４０内のハードディスクに画像ファイルを転送する。これにより、撮影画像としてのＲＡＷ画像とＪＰＲＧデータとが画像表示装置３で取得されることとなる。
【００４４】
画像ファイルがハードディスクに転送された後に、メインウィンドウＭｏのフォルダツリーエリアＭａに表示されるフォルダ群について画像ファイル転送先のフォルダをマウス４２１で選択すると、選択されたフォルダ内の全ての画像ファイルに関するサムネイル画像の一覧がサムネイル画像表示エリアＭｂに表示される。このサムネイル画像については、図４に示す画像ファイルのヘッダー部Ｆａに記録されているサムネイル画像が読出されて表示されることとなる。
【００４５】
サムネイル画像表示エリアＭｃに表示されているサムネイル画像の一覧から１つの画像をマウス４２１等で指定すると、その画像のヒストグラムがヒストグラム表示エリアＭｃに表示され、その画像のプレビュー画像がプレビュー画像表示エリアＭｄに表示される。このプレビュー画像は、プレビュー画像表示エリアＭｄに撮影画像全体(フルサイズ画像)が表示されるように縮小された画像で、ＣＣＤ−ＲＡＷデータＦｃ(図４)に画素の間引き処理を施して展開することで生成される。このように表示されるプレビュー画像を視認することで構図が確認できるとともに、プレビュー画像とヒストグラム表示エリアＭｃに表示されるヒストグラムとから露出が確認できることとなる。
【００４６】
画像表示ソフトウェアにおいて撮影画像のピント確認を行うには、ルーペ機能を利用する。このルーペ機能とは、サムネイル画像表示エリアＭｂに表示されるサムネイル画像上の任意の箇所にマウスポインタＰｔを合わせてクリックすると、マウスポインタＰｔを中心とした撮影画像の細部を、メインウィンドウＭｏとは別の子ウィンドウＷｎに拡大表示させる機能である。この子ウィンドウＷｎにおいては、表示画像上で任意の箇所にマウスポインタＰｈを合わせてドラッグすることにより、現在表示中の画像部分だけでなくその周辺の画像部分も表示させることが可能となる。
【００４７】
以上のルーペ機能に関連した画像表示装置３の動作を具体的に説明する。
【００４８】
図７は、画像表示装置３の基本的な動作を示すフローチャートである。
【００４９】
ステップＳ１では、図６に示すサムネイル画像表示エリアＭｂで表示されるサムネイル画像上にマウスポインタＰｔを合わせてクリックする。このクリックにより、上述のようにルーペ機能がオン(能動化)されるとともに、拡大したい撮影画像の部位が指定されることとなる。
【００５０】
ステップＳ２では、ステップＳ１でクリックされたポイントを中心とした表示領域をフルサイズ画像(撮影画像)に基づき算出する。具体的には、クリック時点におけるマウスポインタＰｔの座標を取得し、この座標を中心に図６の子ウィンドウＷｎに拡大表示するための表示領域(撮影画像の部位)を求める。
【００５１】
ステップＳ３では、ステップＳ２で算出された表示領域が、図４の表示用ＪＰＥＧデータＦｂに記録される部分画像(以下では「表示用部分画像」という)Ｇａ(図３)の範囲内であるかを判定する。ここで、表示領域が表示用部分画像の範囲内である場合には、ステップＳ４に進み、範囲内でない場合には、ステップＳ５に進む。具体的には、例えば図８に示すように表示領域Ｄｓがフルサイズ画像Ｔｏに内包される表示用部分画像Ｔａ内に収まっている場合には、ステップＳ４に進み、図９に示すように表示領域Ｄｓが表示用部分画像Ｔａからはみ出している場合など範囲外となっている場合には、ステップＳ５に進む。
【００５２】
ステップＳ４では、図４に示す画像ファイルの表示用ＪＰＥＧデータＦｂを本体部３０内のメモリに読込み、この表示用ＪＰＥＧデータＦｂに基づき表示領域Ｄｓ(図８)に相当する拡大画像データを生成する。すなわち、表示用ＪＰＥＧデータを伸長処理したＲＧＢ画像から表示領域Ｄｓが抽出される。
【００５３】
このステップＳ４の動作により、表示用ＪＰＥＧデータ(圧縮画像データ)Ｆｂを伸長処理した部分画像に基づき、ステップＳ１〜Ｓ２で指定された撮影画像の部位を表示部４１に表示できるため、撮影画像の詳細表示を迅速かつ適切に行えることとなる。
【００５４】
ステップＳ５では、図４に示す画像ファイルのＣＣＤ−ＲＡＷデータＦｃを本体部３０内のメモリに読込み、このＣＣＤ−ＲＡＷデータＦｃとヘッダ部Ｆａに書き込まれているパラメータとに基づき、表示領域Ｄｓ(図９)に相当する画像部分について画素補間を含む画像処理を行ってＲＧＢ画像の拡大画像データを作成する。このようにステップＳ１〜Ｓ２で指定された撮影画像の部位が表示用部分画像Ｔａ以外の画像部分を含む場合には、この部位をＲＡＷ画像に基づき表示できるため、撮影画像の全範囲について詳細表示を行えることとなる。
【００５５】
ステップＳ６では、ステップＳ４またはステップＳ５で生成された拡大画像データに基づき拡大表示を行う(後で詳述)。
【００５６】
ステップＳ７では、ルーペ機能がオフされたかを判定する。具体的には、マウス４２１により子ウィンドウＷｎを閉じる動作が行われたか否かを判断する。ここで、ルーペ機能がオフされない場合には、ステップＳＴ６を繰り返す。なお、ルーペ機能がオフされた場合には、本フローを抜ける。
【００５７】
図１０は、上記のステップＳ６に対応する拡大表示動作を示すフローチャートである。
【００５８】
ステップＳ１１では、マウス４２１を用いて子ウィンドウＷｎの表示画像上でドラッグ操作が行われたかを判定する。ここで、ドラッグ操作が行われた場合には、ステップＳ１２に進み、ドラッグ操作が行われていない場合には、ステップＳＴ１６に進む。
【００５９】
ステップＳ１２では、ステップＳ１１でのドラッグ操作に基づき表示領域を算出する。具体的には、ドラッグ操作による表示位置の移動時におけるドラッグ終了時点の座標を取得し、この座標を中心に表示領域を求める。
【００６０】
ステップＳ１３では、ステップＳ１２で算出された表示領域が、図４の表示用ＪＰＥＧデータＦｂに記録される表示用部分画像の範囲内であるかを判定する。ここで、表示領域が表示用部分画像の範囲内である場合には、ステップＳ１４に進み、範囲内でない場合には、ステップＳ１５に進む。
【００６１】
ステップＳ１４およびステップＳ１５では、上記のステップＳ４およびステップＳ５と同様の動作を行い、拡大画像データを作成する。
【００６２】
ステップＳ１６では、ステップＳ１４またはステップＳ１５で生成された拡大画像データに基づき、撮影画像のうち表示領域Ｄｓ(図８〜９)に対応する画像部分を子ウィンドウＷｎ(図６)に等倍表示する。これにより、撮影画像の細部が拡大されるため、ユーザはピント確認を適切に行えることとなる。
【００６３】
ユーザのピント確認が終了した後には、メインウィンドウＭｏにおいてピント状態に応じた４段階のランク(ベストショット、ベター、グッド、ＮＧ)を各画像に付与して分類することが可能となっている。このランク付けは、図６に示すサムネイル画像Ｔｈの上部に配置される４色のランクボタンＲｂのうち１つを選択することで行われる。そして、サムネイル画像表示エリアＭｂの上部には４種類のランクに対応したタブＲｔが設けられており、ユーザが表示させたいランクのタブＲｔをクリックすれば、そのランクの画像のみがサムネイル画像表示エリアＭｂに表示されるようになっている。このようなメインウィンドウＭｏの機能により、ユーザが画像の絞込みを行うことが容易となる。
【００６４】
以上の画像表示装置３の動作により、撮影画像としてのＲＡＷ画像に付加されたＪＰＥＧデータの表示用部分画像に基づき撮影画像の拡大表示を行うため、撮影画像の詳細表示を迅速かつ適切に行える。
【００６５】
ピントなどのチェックのためにユーザが確認する撮影画像の細部は被写体の重要部分に該当する場合が多いが、この重要部分は撮影画像の端部に存在することはほとんどない。そこで、本実施形態においては、ＲＡＷ画像に付加する表示用のＲＧＢ画像として、撮影範囲の全てをカバーするフルサイズ画像でなく、チェックされる蓋然性が極めて低い撮影画像の端部の４辺を除去した部分画像を用い、これに圧縮処理を施こすこととした。これにより、ＲＡＷ画像に付加する表示用画像のサイズ(記憶容量)を抑制できるとともに、快適な速度で撮影画像の詳細表示が可能となる。
【００６６】
＜変形例＞
◎上記の実施形態における表示用ＪＰＥＧデータについては、撮影画像の中央部を抽出して作成するのは必須でなく、例えばＡＦエリアや、肌色などの特定色のエリアを中心として作成するようにしても良い。このＡＦエリアは、図１１に示すエリアＥＡのように、画像の中央にいない人物などの主被写体ＳＢにピントを合わせたい場合にも利用できるもので、このエリアＥＡ内の画像のコントラストの差を評価値としてＡＦ動作を行える。このように撮影画像の撮影時において合焦動作に用いられたＡＦエリア(合焦エリア)を中心とした画像部分を抽出して圧縮処理を行うことにより、ピント確認に必要な画像部分を含む圧縮画像データを適切に生成できることとなる。
【００６７】
なお、ＡＦエリアに基づく場合には、画像ファイルにＡＦ情報を記録し、ＡＦエリアのみをトリミングして表示用ＪＰＥＧデータとして作成しても良い。
【００６８】
◎上記の実施形態のトリミング処理については、除去するＹｃ，Ｘｃ(図３)をＹａ，Ｘａの２０％程度にするのは必須でなく、Ｙｃ，ＸｃをＹａ，Ｘａの１０％程度にしても良い。この場合には、フルサイズの撮影画像に対して総画素数の割合は７０％に増加するが、線比で８３％をカバーできるため、ＲＡＷ画像データの展開が必要なケースがほとんどなくなる。
【００６９】
◎上記の実施形態においては、画像表示ソフトウェアをパーソナルコンピュータで実行するのは必須でなく、撮像装置(カメラ)で実行させても良い。この場合には、撮像装置で撮影した画像をチェックして評価でき、利便性が向上する。
【００７０】
◎上記の実施形態のルーペ機能については、部分画像を等倍表示(１００％の表示)するのは必須でなく、５０％の表示等であっても撮影画像の詳細表示に該当すれば良い。
【図面の簡単な説明】
【００７１】
【図１】本発明の実施形態に係る撮像装置２の要部構成を示す機能ブロック図である。
【図２】撮像部１２のカラーフィルタ配置を示す図である。
【図３】撮影画像のトリミング処理を説明するための図である。
【図４】画像ファイルの構成を示す図である。
【図５】本発明の実施形態に係る画像表示装置３の要部構成を示す図である。
【図６】画像表示ソフトウェアのメインウィンドウＭｏを示す図である。
【図７】画像表示装置３の基本的な動作を示すフローチャートである。
【図８】画像表示装置３の動作を説明するための図である。
【図９】画像表示装置３の動作を説明するための図である。
【図１０】拡大表示動作を示すフローチャートである。
【図１１】本発明の変形例に係るＡＦエリアＥＡを説明するための図である。
【符号の説明】
【００７２】
１  画像再生システム
２  撮像装置
３  画像表示装置
４  パーソナルコンピュータ(ＰＣ)
５  カードリーダ
２２  撮像部
２５  トリミング処理部
２６  ＪＰＥＧエンコーダ部
２７  ファイル作成部
２９  メモリカード
４２１  マウス
Ｄｓ  表示領域
Ｆａ  ヘッダー部
Ｆｂ  表示用ＪＰＥＧデータ
Ｆｃ  ＣＣＤ−ＲＡＷデータ
Ｍｂ  サムネイル画像表示エリア
Ｍｄ  プレビュー画像表示エリア
Ｍｏ  メインウィンドウ
Ｐｔ  マウスポインタ
Ｔａ  表示用部分画像
Ｗｎ  子ウィンドウ
【図１】
2006173854.tif 000003
【図２】
2006173854.tif 000004
【図３】
2006173854.tif 000005
【図４】
2006173854.tif 000006
【図５】
2006173854.tif 000007
【図６】
2006173854.tif 000008
【図７】
2006173854.tif 000009
【図８】
2006173854.tif 000010
【図９】
2006173854.tif 000011
【図１０】
2006173854.tif 000012
【図１１】
2006173854.tif 000013